(57)【要約】【課題】情報記録用のレーザ光のモニタ信号の伝搬遅延量を簡易かつ正確に検出する。【解決手段】記録レーザ光制御装置は、レーザパワー制御装置４と、システムコントローラ９とを備える。レーザパワー制御装置４はレーザ光を分光して得られたモニタ信号をサンプルホールドするタイミングを徐々にずらしてサンプルホールドを繰り返し行う。システムコントローラ９はサンプルホールドされたモニタ信号の論理が変化した時点でのサンプルホールドタイミングに基づいてモニタ信号の伝搬遅延量を検出する。これにより、モニタ信号の伝搬遅延量に応じて的確なタイミングでモニタ信号のサンプルホールドを行うことができる。【選択図】図１
2007207314.tif 000002
【特許請求の範囲】
【請求項１】
光ディスクに情報を記録するレーザ光の一部を分光してモニタ信号を生成するモニタ信号生成器と、
前記モニタ信号を所定のタイミングでサンプルホールドするサンプルホールド回路と、
前記サンプルホールドされたモニタ信号を基準信号と比較して、両信号の差分信号を生成するレベル比較器と、
前記差分信号に基づいて、前記レーザ光の強度を制御するための電流信号を生成するレーザ駆動部と、
前記モニタ信号を前記サンプルホールド回路にてサンプルホールドするタイミングを制御するタイミング制御回路と、
前記タイミング制御回路によるサンプルホールドのタイミング制御に応じて前記サンプルホールド回路の出力論理が反転したか否かを判定するレベル判定回路と、
前記サンプルホールド回路がサンプルホールドを行うタイミングと前記レベル判定回路による判定結果とに基づいて、前記モニタ信号の遅延量を計測する遅延量計測器と、を備えることを特徴とする記録レーザ光制御装置。
【請求項２】
前記サンプルホールド回路は、
前記モニタ信号が第１論理レベルのときに、前記モニタ信号を所定のタイミングでサンプルホールドする第１のサンプルホールド部と、
前記モニタ信号が第２論理レベルのときに、前記モニタ信号を所定のタイミングでサンプルホールドする第２のサンプルホールド部と、を有し、
前記レベル比較器は、
前記第１のサンプルホールド部でサンプルホールドされた信号を第１の基準信号と比較して、第１の差分信号を生成する第１のレベル比較部と、
前記第２のサンプルホールド部でサンプルホールドされた信号を第２の基準信号と比較して、第２の差分信号を生成する第２のレベル比較部と、を有し、
前記タイミング制御回路は、前記第１および第２のサンプルホールド部の少なくとも一方のサンプルホールドのタイミングを連続的または段階的に変更し、
前記レベル判定回路は、前記第１または第２のサンプルホールド部でサンプルホールドされた信号の論理が反転したか否かを判定することを特徴とする請求項１に記載の記録レーザ光制御装置。
【請求項３】
前記タイミング制御回路は、光ディスクに対する記録／再生を行っていない期間内に前記モニタ信号をサンプルホールドするタイミングを制御することを特徴とする請求項１または２に記載の記録レーザ光制御装置。
【請求項４】
前記レーザ駆動部は、光ディスクを再生する際に用いられる第１の電流レベルと、光ディスクに記録する際に用いられる第２の電流レベルとを持つ前記電流信号を生成し、
前記タイミング制御回路は、光ディスクに対する記録／再生を行っている期間内に前記モニタ信号をサンプルホールドするタイミングを制御することを特徴とする請求項１または２に記載の記録レーザ光制御装置。
【請求項５】
前記タイミング制御回路は、前記サンプルホールド回路にてモニタ信号をサンプルホールドするタイミングを連続的または段階的に変化させる処理を複数回繰り返し行い、
前記遅延量計測器は、前記モニタ信号の遅延量を複数回計測した結果を平均化して最終的な遅延量を検出することを特徴とする請求項１乃至４のいずれかに記載の記録レーザ光制御装置。
【発明の詳細な説明】
【技術分野】
【０００１】
本発明は、光ディスクに情報を記録するためのレーザ光を制御する記録レーザ光制御装置に関する。
【背景技術】
【０００２】
光ディスクに情報を記録するために用いられるレーザ光は、種々の条件により光強度が変動する可能性がある。そこで、記録用のレーザ光の一部を分光してモニタ信号を生成し、そのモニタ信号が所望の信号レベルになるようにレーザパワーの制御を行う装置が提案されている（特許文献１および２参照）。
【０００３】
この種の装置では、光ディスクへの記録を開始する前に、光ディスク上に設けられた試し書き領域にレーザ光の光強度を変えながら連続的に記録を行って、記録を行うための最適なレベルを検出し、そのレベルを参照レベルとして記憶しておく。
【０００４】
その後、光ディスクへの記録／再生を開始し、上述したモニタ信号の信号レベルを参照レベルと比較して、モニタ信号の信号レベルが参照レベルに一致するような制御を継続して行う。
【０００５】
しかしながら、モニタ信号は、レーザ光を分光した後に電気信号に変換する処理と信号増幅処理を行って生成されるため、元のレーザ光よりも伝搬遅延が生じる。このため、モニタ信号の信号レベルと参照レベルとを比較する際、本来比較すべき位相よりもずれた位相で信号レベルを比較する可能性があり、レーザ光のパワー制御を正しく行えなくなってしまう。
【０００６】
このような問題を解決する一手法として、モニタ信号のパルス幅が狭い時間領域では信号レベルの比較動作を行わないことも考えられる。ところが、このようにすると、モニタ信号との比較を行う頻度が減少し、レーザパワーの制御の精度が悪化してしまう。
【０００７】
また、他の手法として、モニタ信号のロウレベルとハイレベルを保持しておき、これら保持したレベルを参照レベルと比較する手法がある。この手法によれば、モニタ信号を所定のタイミングでサンプルホールドする回路が不要となり、モニタ信号の伝搬遅延にも無関係になる。しかしながら、この手法は、レーザ光の強度が二通りしか変化しない場合には有効であるが、レーザ光の強度が三通り以上に変化して各強度の中間強度で高速記録を行う場合には、参照レベルとの比較が行えないという問題がある。
【特許文献１】特開平8-7320号公報
【特許文献２】特開平11-134692号公報
【発明の開示】
【発明が解決しようとする課題】
【０００８】
本発明は、情報記録用のレーザ光のモニタ信号の伝搬遅延量を簡易かつ正確に検出できる記録レーザ光制御装置を提供するものである。
【課題を解決するための手段】
【０００９】
本発明の一態様によれば、光ディスクに情報を記録するレーザ光の一部を分光してモニタ信号を生成するモニタ信号生成器と、前記モニタ信号を所定のタイミングでサンプルホールドするサンプルホールド回路と、前記サンプルホールドされたモニタ信号を基準信号と比較して、両信号の差分信号を生成するレベル比較器と、前記差分信号に基づいて、前記レーザ光の強度を制御するための電流信号を生成するレーザ駆動部と、前記モニタ信号を前記サンプルホールド回路にてサンプルホールドするタイミングを制御するタイミング制御回路と、前記タイミング制御回路によるサンプルホールドのタイミング制御に応じて前記サンプルホールド回路の出力論理が反転したか否かを判定するレベル判定回路と、前記サンプルホールド回路がサンプルホールドを行うタイミングと前記レベル判定回路による判定結果とに基づいて、前記モニタ信号の遅延量を計測する遅延量計測器と、を備えることを特徴とする記録レーザ光制御装置が提供される。
【発明の効果】
【００１０】
本発明によれば、情報記録用のレーザ光のモニタ信号の伝搬遅延量を簡易かつ正確に検出することができる。
【発明を実施するための最良の形態】
【００１１】
以下、図面を参照しながら、本発明の一実施形態について説明する。
【００１２】
（第１の実施形態）
図１は本発明の第１の実施形態に係る記録レーザ光制御装置の概略構成を示すブロック図である。図１の記録レーザ光制御装置は、光ディスク１を回転駆動するスピンドルモータ２と、光ディスク１にレーザ光を照射するレーザピックアップ３と、レーザ光の強度を制御するレーザパワー制御装置４と、サーボ信号検出器５と、再生信号検出器６と、データコントローラ７と、サーボコントローラ８と、システムコントローラ９と、レベル判定回路３１と、遅延回路３２とを備えている。
【００１３】
レーザピックアップ３は、光ディスク１の径方向に移動可能とされ、そのための駆動装置を有するが、図１では省略している。
【００１４】
レーザピックアップ３は、対物レンズ１１と、対物レンズ１１のフォーカス制御とトラック制御を行うアクチュエータ１２と、ビームスプリッタ１３と、コリメータレンズ１４と、レーザ素子１５と、レーザ駆動装置１６と、集光レンズ１７，１８と、受光素子１９，２０と、プリアンプ２１，２２とを有する。
【００１５】
レーザ駆動装置１６は、データコントローラ７から供給された記録データの変調信号とレーザパワー制御装置４から供給された出力レベル制御信号に基づいてレーザ素子１５を駆動する。レーザ素子１５の出力光は、コリメータレンズ１４、ビームスプリッタ１３および対物レンズ１１を介して光ディスク１に照射される。
【００１６】
アクチュエータ１２は、サーボコントローラ８から供給された制御信号に応じて、対物レンズ１１のフォーカス制御とトラック制御を行って、レーザ光を光ディスク１上の所望の位置に所望のスポットで照射させる。
【００１７】
光ディスク１からの反射光は、対物レンズ１１、ビームスプリッタ１３および集光レンズ１８を介して受光素子２０に入射される。受光素子２０の出力信号は、プリアンプ２２を介してサーボ信号検出器５と再生信号検出器６に供給される。
【００１８】
サーボ信号検出器５は、プリアンプ２２から供給された信号に基づいてサーボエラー信号を生成してサーボコントローラ８に供給する。サーボコントローラ８は、システムコントローラ９の制御に従って、サーボ信号検出器５から供給されたサーボエラー信号に基づいてアクチュエータ１２とスピンドルモータ２を制御する。
【００１９】
再生信号検出器６は、プリアンプ２２から供給された信号に基づいて光ディスク１の再生信号を生成してデータコントローラ７に供給する。データコントローラ７は、再生信号検出器６から供給された光ディスク１の再生信号に対して復調処理を行う。
【００２０】
レーザ素子１５で発光されたレーザ光の一部は、ビームスプリッタ１３で分光されて、集光レンズ１７を介して受光素子１９に入射される。受光素子１９の出力は、プリアンプ２１に入力されてモニタ信号が生成される。このモニタ信号はレーザパワー制御装置４に供給される。
【００２１】
データコントローラ７は、レーザ駆動装置１６に供給する変調信号に対応したタイミング信号を生成して遅延回路３２を介してレーザパワー制御装置４に供給する。レーザパワー制御装置４は、プリアンプ２１から供給されたモニタ信号を、データコントローラ７から供給されたタイミング信号に同期させてサンプルホールドしてレーザ駆動装置１６に供給する。それに並行して、レーザパワー制御装置４にてサンプルホールドされたモニタ信号は、レベル判定回路３１に供給される。レベル判定回路３１は、サンプルホールドされたモニタ信号の信号レベルが所定のレベルであるか否かを判定する。
【００２２】
遅延回路３２は、レーザパワー制御装置４がモニタ信号をサンプルホールドするタイミングを制御する。
【００２３】
図２は図１の特徴的な部分の詳細構成を示すブロック図である。図２に示すように、レーザパワー制御装置４は、モニタ信号を伝搬する２つの信号経路を有する。一方の信号経路には、スイッチ３３とキャパシタ３４からなる第１のサンプルホールド回路３５と、コンパレータ３６とが縦続接続されている。他方の信号経路には、スイッチ３７とキャパシタ３８からなる第２のサンプルホールド回路３９と、コンパレータ４０とが縦続接続されている。
【００２４】
光ディスク１に対する記録／再生を行う際、レーザ光が記録レベルと再生レベルの２レベルだけを持つ場合、第１のサンプルホールド回路３５は記録レベルをサンプルホールドするために用いられ、第２のサンプルホールド回路３９は再生レベルをサンプルホールドするために用いられる。
【００２５】
スイッチ３３は、データコントローラ７から出力された遅延制御信号Ｓ１を遅延回路３２で遅延させた信号Ｓ１’の論理に従ってオン・オフ制御される。スイッチ３７は、データコントローラ７から出力された遅延制御信号Ｓ２を遅延回路３２で遅延させた信号Ｓ２’の論理に従ってオン・オフ制御される。遅延回路３２は、システムコントローラ９から出力された遅延制御信号Ｄ１，Ｄ２に基づいて信号Ｓ１’，Ｓ２’の遅延量を設定する。
【００２６】
コンパレータ３６は、第１のサンプルホールド回路３５でサンプルホールドされたモニタ信号の信号レベルを、システムコントローラ９から供給された基準レベルＬ１と比較して、比較結果を示す電圧信号Ｖ１を出力する。ここでは、例えばモニタ信号に含まれる記録レベルが基準レベルＬ１と等しいか否かを比較する。
【００２７】
コンパレータ４０は、第２のサンプルホールド回路３９でサンプルホールドされたモニタ信号の信号レベルを、システムコントローラ９から供給された基準レベルＬ２と比較して、比較結果を示す電圧信号Ｖ２を出力する。ここでは、例えばモニタ信号に含まれる再生レベルが基準レベルＬ２と等しいか否かを比較する。
【００２８】
レーザ駆動装置１６は、レーザパワー制御装置４から出力された電圧信号Ｖ１，Ｖ２をそれぞれ電流信号Ｉ１，Ｉ２に変換するＶ−Ｉ変換装置４１，４２と、これら電流信号Ｉ１，Ｉ２を導通／遮断するスイッチ４３，４４とを有し、これらスイッチ４３，４４の他端側は短絡されている。
【００２９】
スイッチ４３，４４はそれぞれデータコントローラ７から供給された信号Ｗ１，Ｗ２によりオン・オフ制御される。例えば、信号Ｗ１は光ディスク１に情報を記録するタイミングでスイッチ４３をオンし、信号Ｗ２は光ディスク１から情報を読み出すタイミングでスイッチ４４をオンする。
【００３０】
レベル判定回路３１は、第２のサンプルホールド回路３９の出力電圧を、システムコントローラ９から供給された基準レベルＬ３と比較し、サンプルホールドされたモニタ信号の論理が反転したか否かを判定する。
【００３１】
光ディスク１への記録／再生を行う場合、まず最初に、レーザ光の強度を変えながら光ディスク１内の試し書き領域に連続的に書き込みを行って最適な強度を検出し、その強度に応じた基準レベルを記憶しておく。記憶する基準レベルは、記録用の基準レベルと再生用の基準レベルの少なくとも２つが必要であり、場合によっては３つ以上の基準レベルが必要になる場合もある。
【００３２】
次に、上述したモニタ信号の遅延量設定を行う。これは、モニタ信号が伝搬遅延を起こすことから、その遅延量に合わせてスイッチ３３，３７を切り替える信号Ｓ１’，Ｓ２’のタイミングを調整するものである。モニタ信号の遅延量設定が行われた後に、光ディスク１の記録／再生処理が行われる。
【００３３】
図３は第１の実施形態でモニタ信号の遅延量設定を行う場合の図２の各部の動作タイミング図である。システムコントローラ９は、ハイとロウが周期的に繰り返す信号Ｗ１と、ロウ固定の信号Ｗ２と、互いに同じパルス幅の信号Ｓ１，Ｓ２とを出力する。レーザ駆動装置１６内のスイッチ４３は信号Ｗ１がハイのときにオンし、ロウのときにオフする。したがって、スイッチ４３は信号Ｗ１の論理に応じてオンとオフを交互に繰り返す。一方、スイッチ４４は信号Ｗ２がロウ固定なので、常にオフ状態である。この結果、レーザ駆動装置１６からは、ハイレベルがＩ１でロウレベルが０の駆動電流ＩLDが出力される。
【００３４】
遅延回路３２は、遅延量制御信号Ｄ１，Ｄ２に応じて信号Ｓ１，Ｓ２をそれぞれ遅延させた信号Ｓ１’，Ｓ２’を出力する。本実施形態では、遅延量制御信号Ｄ２の値を徐々に変化させて信号Ｓ２の遅延量を徐々に大きくする。これにより、図３に示すように、信号Ｓ１’に対する信号Ｓ２’の遅延量が徐々に大きくなる。
【００３５】
レーザパワー制御装置４内の第１のサンプルホールド回路３５は信号Ｓ１’がハイからロウになるタイミングでモニタ信号をサンプルホールドし、第２のサンプルホールド回路３９は信号Ｓ２’がハイからロウになるタイミングでモニタ信号をサンプルホールドする。図３に示すように、信号Ｓ１’に対する信号Ｓ２’の遅延量が徐々に大きくなって、信号Ｓ２’の遅延量がｔ３になった時点で第２のサンプルホールド回路３９の出力Ｖ３はロウレベルになる。
【００３６】
第２のサンプルホールド回路３９の出力Ｖ３はレベル判定回路３１に入力される。レベル判定回路３１は、出力Ｖ３をシステムコントローラ９から供給された基準レベルＬ３と比較し、その比較結果信号Ｃをシステムコントローラ９に供給する。
【００３７】
システムコントローラ９は、第２のサンプルホールド回路３９の出力Ｖ３がロウになったことを比較結果信号Ｃの論理変化により検出し、その検出を行った時点での遅延量制御信号Ｄ２に基づいて、モニタ信号の伝搬遅延量を測定でき、モニタ信号と信号Ｓ２とのずれも検出できる。その検出結果に基づいて遅延回路３２の遅延量を制御すれば、モニタ信号の伝搬遅延量がどのように変化しても、信号Ｓ２のタイミングを調整でき、所望のタイミングでモニタ信号をサンプルホールドすることが可能になる。
【００３８】
図１の遅延回路３２の具体的な回路構成は特に問わない。図４は遅延回路３２の内部構成の一例を示すブロック図である。図４の遅延回路３２は、縦続接続された複数の遅延回路部５１ａ…５１ｎと、各遅延回路部の出力のうち一つを選択する選択回路５２とを有する。縦続接続された複数の遅延回路部５１ａ…５１ｎのうち初段の遅延回路部５１ａに入力信号が供給され、各遅延回路部は入力信号を順に遅延させる。選択回路５２は、遅延量制御信号に応じて、いずれかの遅延回路部の出力信号を選択する。
【００３９】
各遅延回路部５１ａ…５１ｎの具体的構成についても特に問わないが、たとえばインバータを複数縦続接続して構成される。
【００４０】
図５はレベル判定回路３１の内部構成の一例を示すブロック図である。図５のレベル判定回路３１は、入力信号と基準信号の各信号レベルを比較するコンパレータ５３を有する。コンパレータ５３は、入力信号と基準信号との信号レベル差に応じた信号を出力する。
【００４１】
仮に、入力信号と基準信号をデジタル値として扱う場合には、入力値と基準値との減算を行い、入力信号と基準信号の比較結果を減算結果として得ることができる。
【００４２】
このように、第１の実施形態では、レーザ光を分光して得られたモニタ信号をサンプルホールドするタイミングを徐々にずらしてサンプルホールドを繰り返し行い、サンプルホールドされたモニタ信号の論理が変化した時点でのサンプルホールドタイミングに基づいてモニタ信号の伝搬遅延量を検出するため、モニタ信号の伝搬遅延量に応じて的確なタイミングでモニタ信号のサンプルホールドを行うことができる。
【００４３】
図２では、信号Ｓ１’に対する信号Ｓ２’の遅延量を徐々に変化させてモニタ信号の伝搬遅延量を検出したが、信号Ｓ２’に対する信号Ｓ１’の遅延量を徐々に変化させてモニタ信号の伝搬遅延量を検出してもよい。また、信号Ｓ１’を変化させた場合のモニタ信号の伝搬遅延量と信号Ｓ２’を変化させた場合のモニタ信号の伝搬遅延量とを平均化してもよい。
【００４４】
上述した処理動作は、光ディスク１の記録／再生動作中にも行うことが可能である。例えば、図３の動作タイミング図において、レーザ素子１５の駆動電流ＩLD（＝Ｉ1）が再生レベルで、データコントローラ７から供給された信号Ｗ１の周波数が光ディスク１で再生するサーボ信号の帯域と異なる場合には、第１のサンプルホールド回路３５とコンパレータ３６を通過する信号経路を用いて光ディスク１に対してサーボ動作を行いながら、上記の手順でモニタ信号の伝搬遅延量を検出できる。
【００４５】
一方、図３の動作タイミング図において、レーザ素子１５の駆動電流ＩLD（＝Ｉ1）が記録レベルの場合、モニタ信号の伝搬遅延量を検出している期間内はフォーカスサーボを強制的にオフすれば、光ディスク１に対する不要な書き込みを行わなくてすむ。
【００４６】
（第２の実施形態）
上述した第１の実施形態では、スイッチ３３，３７の制御信号Ｓ１’，Ｓ２’同士の遅延量を徐々に大きくしてサンプルホールド後のモニタ信号のレベルが反転するタイミングを検出したが、以下に説明する第２の実施形態は、制御信号Ｓ１’，Ｓ２’の遅延量を最初に大きく設定しておき、その遅延量を徐々に小さくすることにより、サンプルホールド後のモニタ信号のレベルが変化するタイミングを検索するものである。
【００４７】
図６は本発明の第２の実施形態に係る記録レーザ光制御装置の概略構成を示すブロック図、図７は図１の特徴的な部分の詳細構成を示すブロック図である。図６と図７では、図１と図２と共通する構成部分には同一符号を付しており、以下では相違点を中心に説明する。
【００４８】
図６の記録レーザ光制御装置は、データコントローラ７から出力された信号Ｗ１，Ｗ２を遅延させる遅延回路５５を備えている点で図１の記録レーザ光制御装置と異なっているが、それ以外は図１と同様に構成されている。遅延回路５５で遅延された信号Ｗ１’，Ｗ２’はスイッチ４３，４４をオン・オフするために用いられる。
【００４９】
図８は第２の実施形態にてモニタ信号の遅延量設定を行う場合の図７の各部の動作タイミング図である。遅延回路５５で遅延された信号Ｗ１’により、レーザ駆動装置１６内のＶ−Ｉ変換装置から出力された電流信号Ｉ１がスイッチ４３によりオン・オフされて、０レベルとＩ１レベルを持つ出力電流ＩLDが生成される。一方、信号Ｗ２’はロウ固定であるため、スイッチ４４はオフ固定になり、Ｖ−Ｉ変換装置４２の出力電流は遮断される。結局、電流信号Ｉ１をスイッチ４３でオン・オフして生成された電流ＩLDがレーザ素子１５に供給される。レーザ素子１５は電流ＩLDに応じたレーザ光を発光し、そのレーザ光の一部を分光してモニタ信号が生成される。
【００５０】
レーザパワー制御装置４内の第１および第２のサンプルホールド回路３５，３９はそれぞれ、遅延回路３２で遅延された信号Ｓ１’，Ｓ２’により、モニタ信号をサンプルホールドする。サンプルホールド後のモニタ信号は、コンパレータ３６，４０に供給されるとともに、レベル判定回路３１にも供給される。コンパレータ３６，４０は、サンプルホールド後のモニタ信号の信号レベルをそれぞれ基準レベルＬ１，Ｌ２と比較して、レベル差に応じた信号をレーザ駆動装置１６に供給する。
【００５１】
本実施形態では、図８からわかるように、まず最初に、遅延回路３２から出力される信号Ｓ１’，Ｓ２’の遅延量ｔ１を最大値に設定する。その後、遅延回路３２での信号Ｓ２’の遅延量を徐々に小さくする。この結果、信号Ｓ１’，Ｓ２’の遅延量がｔ４になったときに、第２のサンプルホールド回路３９でサンプルホールドされたモニタ信号Ｖ３のレベルが反転する。このレベル反転は、レベル判定回路３１にて検出される。
【００５２】
システムコントローラ９は、レベル判定回路３１にてモニタ信号Ｖ３のレベル反転が検出されると、その時点での信号Ｓ２’の遅延量に基づいて、モニタ信号の伝搬遅延量を検出することができる。したがって、その検出結果に基づいて、遅延回路３２の遅延量を設定することにより、モニタ信号を所望のタイミングでサンプルホールドすることが可能となる。
【００５３】
このように、第２の実施形態は、第１の実施形態とは逆に、遅延信号Ｓ１’，Ｓ２’の遅延量を最大値に初期設定してから徐々に信号Ｓ２’の遅延量を小さくして、サンプルホールド後のモニタ信号のレベルが反転するタイミングを検出するため、第１の実施形態と同様にモニタ信号の伝搬遅延量を正確に検出できる。
【００５４】
上述した第１の実施形態と第２の実施形態を組み合わせてもよい。すなわち、第１の実施形態に従って信号Ｓ１’，Ｓ２’の間の遅延量を徐々に大きくして、モニタ信号の伝搬遅延量を検出した後（あるいはその前に）、第２の実施形態に従って信号Ｓ１’，Ｓ２’の間の遅延量を徐々に小さくして、モニタ信号の伝搬遅延量を検出し、検出された２つの伝搬遅延量を平均化することにより、最終的なモニタ信号の伝搬遅延量を検出してもよい。これにより、伝搬遅延量の検出ばらつきをなくすことができる。
【００５５】
（第３の実施形態）
上述した第１および第２の実施形態では、レーザ素子１５に供給される電流ＩLDのロウレベルは０であったが、電流ＩLDのロウレベルは必ずしも０でなくてもよい。
【００５６】
図９は本発明の第３の実施形態に係る記録レーザ光制御装置の主要部における詳細構成を示すブロック図である。図９では図２と共通する構成部分には同一符号を付しており、以下では相違点を中心に説明する。
【００５７】
図９の記録レーザ光制御装置は、レーザパワー制御装置４内のコンパレータ４０の出力端子に接続されるスイッチ６１と、コンパレータ３６の出力信号のレベル変換を行うアンプ６２と、を備えており、これ以外の構成は図２と同様である。
【００５８】
スイッチ６１は、システムコントローラ９から出力される信号Ｓ３により切替制御される。この信号Ｓ３は通常の記録／再生を行っている最中か否かで論理が切り替わる。通常の記録／再生を行っている最中は、コンパレータ４０の出力がレーザ駆動装置１６内のＶ−Ｉ変換装置４２に供給される。また、それ以外のときには、アンプ６２の出力がＶ−Ｉ変換装置４２に供給される。
【００５９】
レーザ駆動装置１６内のスイッチ４３は、第１および第２の実施形態と同様にハイとロウが繰り返されるような信号Ｗ１によりオン・オフ制御される。一方、スイッチ４４には、ハイ固定の信号Ｗ２が供給されるため、第１および第２の実施形態と異なり、スイッチ４４は常にオン状態になる。
【００６０】
このため、モニタ信号の遅延量設定を行う際には、コンパレータ３６の出力レベルをアンプ６２で調整した信号がＶ−Ｉ変換装置４２に供給され、Ｖ−Ｉ変換装置４２からは電流信号Ｉ２が出力される。このとき、Ｖ−Ｉ変換装置４１から出力される電流信号Ｉ１は第１および第２の実施形態と同様である。
【００６１】
スイッチ４３は信号Ｗ１によりオン・オフされ、スイッチ４４は常にオン状態であるため、レーザ素子１５に供給される電流信号ＩLDは、ハイレベルが（Ｉ１＋Ｉ２）で、ロウレベルがＩ２の矩形波信号になる。
【００６２】
図１０は第３の実施形態にてモニタ信号の遅延量設定を行う場合の図９の各部の動作タイミング図である。図示のように、信号Ｗ２の論理と、レーザ光に供給される電流ＩLDの電流レベルとが図３と異なる他は、図３と同様である。信号Ｓ１’に対する信号Ｓ２’の遅延量を徐々に大きくして、サンプルホールド後のモニタ信号のレベルが反転するタイミングを検出する点も第１の実施形態と同様である。したがって、第１の実施形態と同様の効果が得られる。
【００６３】
このように、第３の実施形態では、モニタ信号の遅延量を設定する最中にも、レーザ素子１５に供給する電流レベルを任意に制御できるため、最適なレーザ光強度が得られる。
【００６４】
また、レーザ素子１５の駆動電流信号ＩLDのうち、ロウレベルＩ２を再生レベルとし、ハイレベル（Ｉ１＋Ｉ２）を記録レベルとすれば、光ディスク１の記録中であっても、モニタ信号の伝搬遅延量を検出することができる。
【００６５】
（第４の実施形態）
以下に説明する第４および第５の実施形態は、光ディスク１の記録中にモニタ信号伝搬遅延量を検出できるようにしたものである。
【００６６】
図１１は本発明の第４の実施形態に係る記録レーザ光制御装置の主要部における詳細構成を示すブロック図である。図１１では、図２と共通する構成部分には同一符号を付しており、以下では相違点を中心に説明する。
【００６７】
図１１の記録レーザ光制御装置は、レーザパワー制御装置４の内部に第３のサンプルホールド回路６５を設けた点に特徴がある。この第３のサンプルホールド回路６５は、スイッチ６６とキャパシタ６７とを有する。スイッチ６６は、データコントローラ７から出力された信号Ｓ４を遅延回路３２で遅延させた信号Ｓ４’によりオン・オフ制御される。
【００６８】
第３のサンプルホールド回路６５は、モニタ信号を信号Ｓ４’の論理に応じてサンプルホールドする。サンプルホールド後のモニタ信号は、レベル判定回路３１に供給される。レベル判定回路３１は、サンプルホールド後のモニタ信号のレベルが変化したか否かを判定する。システムコントローラ９は、レベル判定回路３１にてレベルの変化が検出された時点での信号Ｓ４’の遅延量に基づいて、モニタ信号の伝搬遅延量を検出する。
【００６９】
第１および第２の実施形態では、第２のサンプルホールド回路３９の出力をレベル判定回路３１に入力していたが、本実施形態では第３のサンプルホールド回路６５の出力をレベル判定回路３１に入力する点で異なっている。
【００７０】
図１２は第４の実施形態にてモニタ信号の遅延量設定を行う場合の図１１の各部の動作タイミング図である。データコントローラ７から出力される信号Ｗ１は第１〜第３の実施形態と同様にハイとロウが繰り返す信号である。また、信号Ｗ２は第３の実施形態と同様にハイレベル固定である。このため、レーザ駆動装置１６内のスイッチは信号Ｗ１に応じてオン・オフを繰り返し、スイッチは常時オン状態である。したがって、レーザ駆動装置１６は、ハイレベルが（Ｉ１＋Ｉ２）で、ロウレベルがＩ２の電流信号ＩLDを出力する。
【００７１】
レーザ素子１５は、電流信号ＩLDに応じたレーザ光を発光する。そして、そのレーザ光の一部が分光されてモニタ信号が生成される。したがって、モニタ信号は、（Ｉ１＋Ｉ２）に対応するハイレベルと、Ｉ２に対応するロウレベルを有する。ハイレベルは光ディスク１への情報記録に用いられ、ロウレベルは光ディスク１からの情報読出しに用いられる。
【００７２】
レーザパワー駆動装置内の第１のサンプルホールド回路３５は、光ディスク１の記録／再生中は、モニタ信号のハイレベルをサンプルホールドする。このため、遅延回路３２は、モニタ信号のハイレベルの位置にあわせて信号Ｓ１’を出力する。また、第２のサンプルホールド回路３９は、モニタ信号のロウレベルをサンプルホールドする。このため、遅延回路３２は、モニタ信号のロウレベルの位置に合わせて信号Ｓ２’を出力する。
【００７３】
第１のサンプルホールド回路３５でサンプルホールドされたモニタ信号はコンパレータに入力されて、基準レベルＬ１と比較される。そして、レベル差に応じた電圧信号Ｖ１がレーザ駆動装置１６に送られて、レーザ素子１５の駆動電流Ｉ１が生成される。
【００７４】
同様に、第２のサンプルホールド回路３９でサンプルホールドされたモニタ信号はコンパレータ４０に入力されて、基準レベルＬ２と比較される。そして、レベル差に応じた電圧信号Ｖ２がレーザ駆動装置１６に送られて、レーザ素子１５の駆動電流Ｉ２が生成される。
【００７５】
光ディスク１の記録／再生中は、信号Ｓ１’，Ｓ２’のタイミングを任意に変化させることはできない。そこで、本実施形態では、信号Ｓ４’を別に設けて、この信号Ｓ４’の信号Ｓ１’に対する遅延量を徐々に変化させる。図１２の例の場合、信号Ｓ１’に対する信号Ｓ４’の遅延量をｔ１，ｔ２，ｔ３，ｔ４と次第に大きくした例を示している。遅延量がｔ３になった時点で、第３のサンプルホールド回路６５の出力レベルが反転する。これにより、光ディスク１の記録／再生中にモニタ信号の伝搬遅延量を検出できる。
【００７６】
システムコントローラ９は、モニタ信号の伝搬遅延量が検出されると、信号Ｓ１’，Ｓ２’の遅延量を調整すべく、変更された遅延量制御信号Ｄ１，Ｄ２，Ｄ４を遅延回路３２に供給する。これにより、遅延回路３２は、信号Ｓ１’，Ｓ２’，Ｓ４’の遅延量を調整する。これにより、第１および第２のサンプルホールド回路３５，３９は、記録／再生中に常に最適なタイミングでモニタ信号のサンプルホールドを行うことができる。
【００７７】
このように、第４の実施形態では、レーザパワー制御装置４内に、モニタ信号のサンプルホールドタイミングを変更可能な第３のサンプルホールド回路６５を設けるため、第１および第２のサンプルホールド回路３５，３９を用いて光ディスク１の記録／再生を行っている最中であっても、モニタ信号との伝搬遅延量を検出して、リアルタイムに第１および第２のサンプルホールドのタイミングを調整できる。
【００７８】
（第５の実施形態）
第５の実施形態は、第４の実施形態の変形例であり、信号Ｓ３’を複数回変化させて、計測結果を平均化するものである。
【００７９】
図１３は本発明の第５の実施形態に係る記録レーザ光制御装置の主要部における詳細構成を示すブロック図である。図１３の記録レーザ光制御装置は、図１１と同一のブロック構成を持っている。
【００８０】
図１３では、レベル判定回路３１をコンパレータ６９で構成している。このコンパレータ６９は、第３のサンプルホールド回路６５でサンプルホールドされたモニタ信号の信号レベルを、システムコントローラ９から出力された基準レベルＬ３と比較する。コンパレータ６９による比較結果を示す信号Ｃはシステムコントローラ９に供給される。
【００８１】
システムコントローラ９は、信号Ｓ１’に対する信号Ｓ４’の遅延量を徐々にずらしていき、第３のサンプルホールド回路６５の出力レベルが反転した時点での信号Ｓ４’の遅延量を検出する。
【００８２】
本実施形態は、信号Ｓ１’に対する信号Ｓ４’の遅延量をずらす処理を繰り返し行う点に特徴がある。図１４は第５の実施形態での信号Ｓ４’と第３のサンプルホールド回路６５の出力の動作タイミング図である。図示のように、信号Ｓ４’の遅延量を徐々に大きくしていき、その後、逆に遅延量を徐々に減らしていくという処理を複数回繰り返す。これにより、第３のサンプルホールド回路６５の出力レベルが反転する箇所も複数回現れる。
【００８３】
システムコントローラ９は、第３のサンプルホールド回路６５の出力レベルが反転する時点の信号Ｓ４’の遅延量を複数回記憶しておき、これらの平均値を取って最終的なモニタ信号の伝搬遅延量を検出する。
【００８４】
このように、第５の実施形態は、信号Ｓ１’に対する信号Ｓ４’の遅延量を変化させる処理を複数回繰り返し行って、第３のサンプルホールド回路６５の出力レベルが変化する時点での信号Ｓ４’の遅延量を複数回求めて、これらの平均値によりモニタ信号の伝搬遅延量を検出するため、検出精度を向上できる。
【００８５】
上述した第１〜第５の実施形態は、記録可能なすべての種類の光ディスク（例えば、DVD-RAM、DVD±RWなど）に適用可能である。また、モニタ信号は、記録レベルと再生レベルの２つのレベルだけを持っている場合だけでなく、３種類以上のレベルを持っている場合にも適用可能である。必要に応じて、レーザパワー制御装置４とレーザ駆動装置１６内の信号経路を増やせばよい。
【図面の簡単な説明】
【００８６】
【図１】本発明の第１の実施形態に係る記録レーザ光制御装置の概略構成を示すブロック図。
【図２】図１の特徴的な部分の詳細構成を示すブロック図。
【図３】第１の実施形態でモニタ信号の遅延量設定を行う場合の図２の各部の動作タイミング図。
【図４】遅延回路３２の内部構成の一例を示すブロック図。
【図５】レベル判定回路３１の内部構成の一例を示すブロック図。
【図６】本発明の第２の実施形態に係る記録レーザ光制御装置の概略構成を示すブロック図。
【図７】図１の特徴的な部分の詳細構成を示すブロック図。
【図８】第２の実施形態にてモニタ信号の遅延量設定を行う場合の図７の各部の動作タイミング図。
【図９】本発明の第３の実施形態に係る記録レーザ光制御装置の主要部における詳細構成を示すブロック図。
【図１０】第３の実施形態にてモニタ信号の遅延量設定を行う場合の図９の各部の動作タイミング図。
【図１１】本発明の第４の実施形態に係る記録レーザ光制御装置の主要部における詳細構成を示すブロック図。
【図１２】第４の実施形態にてモニタ信号の遅延量設定を行う場合の図１１の各部の動作タイミング図。
【図１３】本発明の第５の実施形態に係る記録レーザ光制御装置の主要部における詳細構成を示すブロック図。
【図１４】第５の実施形態での信号Ｓ４’と第３のサンプルホールド回路６５の出力の動作タイミング図。
【符号の説明】
【００８７】
３  レーザピックアップ
４  レーザパワー制御装置
５  サーボ信号検出器
６  再生信号検出器
７  データコントローラ
８  サーボコントローラ
９  システムコントローラ
１５  レーザ素子
１６  レーザ駆動装置
３１  レベル判定回路
３２  遅延回路
３５  第１のサンプルホールド回路
３９  第２のサンプルホールド回路
５５  遅延回路
６１  スイッチ
６２  アンプ
６５  第３のサンプルホールド回路
【図１】
2007207314.tif 000003
【図２】
2007207314.tif 000004
【図３】
2007207314.tif 000005
【図４】
2007207314.tif 000006
【図５】
2007207314.tif 000007
【図６】
2007207314.tif 000008
【図７】
2007207314.tif 000009
【図８】
2007207314.tif 000010
【図９】
2007207314.tif 000011
【図１０】
2007207314.tif 000012
【図１１】
2007207314.tif 000013
【図１２】
2007207314.tif 000014
【図１３】
2007207314.tif 000015
【図１４】
2007207314.tif 000016